(57)【要約】【課題】缶蓋を正確に芯合わせして、円周方向に均一な巻き締めを行う。【解決手段】缶体２１を載置するリフターと、リフターと同一軸心上に配置され缶体２１のフランジ部２４に被せた缶蓋１を上方から押さえるノックアウトパッド４１と、ノックアウトパッド４１の周囲にノックアウトパッド４１と同一軸心上に配置され缶蓋１のチャック壁部６の内周面側を支持するチャック部材４２と、缶蓋１の半径方向外方位置から半径方向内方に移動してチャック部材４２との間で缶体のフランジ部２４と缶蓋１のカール部８とを巻き締める巻き締めロールとが備えられ、ノックアウトパッド４１の下面には、缶蓋１のパネル部２からカウンターシンク部５の内側壁部にかけて形成されるコーナー部３に当接するテーパ面４５が、下方に向けて漸次拡径しかつノックアウトパッド４１の軸芯を中心とする環状に形成されている。【選択図】      図１
2010214430.tif 000002
【特許請求の範囲】
【請求項１】
缶体を載置するリフターと、該リフターと同一軸心上に配置され缶体のフランジ部に被せた缶蓋を上方から押さえるノックアウトパッドと、該ノックアウトパッドの周囲にノックアウトパッドと同一軸心上に配置され缶蓋のチャック壁の内周面側を支持するチャック部材と、缶蓋の半径方向外方位置から半径方向内方に移動して前記チャック部材との間で缶体のフランジ部と缶蓋のカール部とを巻き締める巻き締めロールとが備えられ、前記ノックアウトパッドの下面には、缶蓋のパネル部からカウンターシンク部の内側壁部にかけて形成されるコーナー部に当接するテーパ面が、下方に向けて漸次拡径しかつ前記ノックアウトパッドの軸芯を中心とするリング状に形成されていることを特徴とする缶巻き締め装置。
【請求項２】
前記缶蓋のコーナー部には、前記パネル部に隣接状態の屈曲部と、前記カウンターシンク部の内側壁部に隣接状態の屈曲部と、これら両屈曲部の間を連結する傾斜部とが形成されており、前記ノックアウトパッドのテーパ面は、前記両屈曲部のうちの少なくとも一方に当接するとともに、該屈曲部の曲率半径よりも大きい曲率半径の凹面に形成されていることを特徴とする請求項１記載の缶巻き締め装置。
【請求項３】
前記ノックアウトパッドのテーパ面は、前記コーナー部における前記傾斜部を除く両屈曲部の両方に接触する凹面とされていることを特徴とする請求項２記載の缶巻き締め装置。
【請求項４】
前記缶蓋のコーナー部には、前記パネル部に隣接状態の屈曲部と、前記カウンターシンク部の内側壁部に隣接状態の屈曲部と、これら両屈曲部の間を連結する傾斜部とが形成されており、前記ノックアウトパッドのテーパ面は、前記コーナー部における前記傾斜部に接触する凸面とされていることを特徴とする請求項１記載の缶巻き締め装置。
【請求項５】
缶体をリフターの上に載置するとともに、該缶体のフランジ部に缶蓋を被せ、該缶蓋を上方からノックアウトパッドで押さえた状態とし、この状態で缶体のフランジ部と缶蓋のカール部とを巻き締める巻き締め方法において、前記ノックパッドで前記缶蓋を押さえる際に、該ノックアウトパッドの下面に形成した下方に向けて漸次拡径するテーパ面を前記缶蓋のパネル部からカウンターシンク部の内側壁部にかけて形成されるコーナー部に当接することを特徴とする缶巻き締め方法。
【請求項６】
前記缶蓋のコーナー部は、前記パネル部に隣接状態の屈曲部と、前記カウンターシンク部の内側壁部に隣接状態の屈曲部と、これら両屈曲部の間を連結する傾斜部とを有する形状とされており、前記ノックアウトパッドで前記缶蓋を押さえる際に、前記テーパ面が前記屈曲部のうちの少なくとも一方又は前記傾斜部のうちのいずれかに当接することを特徴とする請求項５記載の缶巻き締め方法。
【発明の詳細な説明】
【技術分野】
【０００１】
本発明は、缶体に缶蓋を巻き締める装置及び巻き締め方法に関する。
【背景技術】
【０００２】
缶体に缶蓋を巻き締める場合、内容物を充填した缶体をリフター上に載せるとともに、その缶体のフランジ部に被せた缶蓋のパネル部を上方からノックアウトパッドにより押さえることにより、これら缶体と缶蓋とをリフターとノックアウトパッドとの間に挟持した状態とし、缶蓋に嵌合したチャックと缶蓋を外側から押圧する巻き締めロールとにより、缶体のフランジと缶蓋外周部のカール部とを挟み込みながら巻き締めるようにしている。この場合、円周方向に均一に巻き締めるために、缶体と缶蓋とをリフターとノックアウトパッドとの軸心に正確に芯合わせする必要がある。
【０００３】
このような芯合わせ機構として、例えば特許文献１記載の巻き締め装置では、缶蓋のパネル部の上面に、複数の円弧状ビードが円周方向に沿って形成されるとともに、これら円弧状ビードが内接する円周上にタブの外側部も内接するように配設されており、ノックアウトパッドが缶蓋に当接すると、ノックアウトパッドの内壁と缶蓋のタブ外側及び各円弧状ビードとが接触係合することにより、缶蓋がノックアウトパッドに芯合わせされるようになっている。
【先行技術文献】
【特許文献】
【０００４】
【特許文献１】特公平２−４７３００号公報
【発明の概要】
【発明が解決しようとする課題】
【０００５】
ところで、材料の節約、耐圧強度の向上等の要請から缶蓋のパネル部が小径化してきており、そのパネル部に設けられるビードやタブの設置面積が小さくなってきている。特許文献１記載の技術では、パネル部の直径が大きくタブの外側に寸法的な余裕がある場合は適応が容易であるが、パネル部の直径が小さくなると、タブにノックアウトパッドが触れてしまい、その結果、缶体と缶蓋とのセンターがずれて、所定の巻き締め寸法が得られなくなり、密封不良を生じるおそれがある。また、ノックアウトパッドと缶蓋とが芯ずれ状態で接触することに伴い、缶体に回転振れが生じるとともに、偏荷重が作用し、缶体の座屈や缶蓋の傷の発生などの問題も生じる。この場合、タブを小さくして、パネル部の外周部にノックアウトパッドを配置するためのスペースをあけることも考えられるが、タブが小さいと開口性が悪くなるという不具合が生じる。
【０００６】
本発明は、このような事情に鑑みてなされたもので、缶蓋を正確に芯合わせして、円周方向に均一な巻き締めを行うことができる缶巻き締め装置及び巻き締め方法を提供することを目的とする。
【課題を解決するための手段】
【０００７】
本発明の缶巻き締め装置は、缶体を載置するリフターと、該リフターと同一軸心上に配置され缶体のフランジ部に被せた缶蓋を上方から押さえるノックアウトパッドと、該ノックアウトパッドの周囲にノックアウトパッドと同一軸心上に配置され缶蓋のチャック壁の内周面側を支持するチャック部材と、缶蓋の半径方向外方位置から半径方向内方に移動して前記チャック部材との間で缶体のフランジ部と缶蓋とを巻き締める巻き締めロールとが備えられ、前記ノックアウトパッドの下面には、缶蓋のパネル部からカウンターシンク部の内側壁部にかけて形成されるコーナー部に当接するテーパ面が、下方に向けて漸次拡径しかつ前記ノックアウトパッドの軸芯を中心とする環状に形成されていることを特徴とする。
【０００８】
この巻き締め装置においては、ノックアウトパッドのテーパ面が缶蓋のパネル部に隣接するコーナー部に当接して下降することにより、両者に若干の芯ずれが生じていたとしても、テーパ面に沿ってコーナー部が摺動しながら缶蓋を芯合わせすることができ、ノックアウトパッドとリフターとの間で缶体と缶蓋とを正確に位置決めした状態で巻き締めることができる。
【０００９】
また、本発明の缶巻き締め装置において、前記缶蓋のコーナー部には、前記パネル部に隣接状態の屈曲部と、前記カウンターシンク部の内側壁部に隣接状態の屈曲部と、これら両屈曲部の間を連結する傾斜部とが形成されており、前記ノックアウトパッドのテーパ面は、前記両屈曲部のうちの少なくとも一方に当接するとともに、該屈曲部の曲率半径よりも大きい曲率半径の凹面に形成されているとよい。
缶蓋に傾斜部を設けて両屈曲部間を離間させるようにしたことから、コーナー部の幅が大きくなってノックアウトパッドのテーパ面も幅を大きくすることができ、これらの接触を容易かつ確実にして、芯合わせ機能を有効に発揮させることができる。
その場合、前記ノックアウトパッドのテーパ面は、前記コーナー部における前記傾斜部を除く両屈曲部の両方に接触する凹面とされているものとしてもよい。
あるいは、前記ノックアウトパッドのテーパ面は、前記コーナー部における前記傾斜部に接触する凸面とされているものとしてもよい。
いずれの場合も、ノックアウトパッドのテーパ面と缶蓋とは周方向に沿う線状に接触することになり、テーパ面に沿うコーナー部の摺動時の抵抗を小さくして、その芯合わせを容易にすることができる。
【００１０】
本発明の缶巻き締め方法は、缶体をリフターの上に載置するとともに、該缶体のフランジ部に缶蓋を被せ、該缶蓋を上方からノックアウトパッドで押さえた状態とし、この状態で缶体のフランジ部と缶蓋とを巻き締める巻き締め方法において、前記ノックパッドで前記缶蓋を押さえる際に、該ノックアウトパッドの下面に形成した下方に向けて漸次拡径するテーパ面を前記缶蓋のパネル部からカウンターシンク部の内側壁部にかけて形成されるコーナー部に当接することを特徴とする。
また、本発明の缶巻き締め方法において、前記缶蓋のコーナー部は、前記パネル部に隣接状態の屈曲部と、前記カウンターシンク部の内側壁部に隣接状態の屈曲部と、これら両屈曲部の間を連結する傾斜部とを有する形状とされており、前記ノックアウトパッドで前記缶蓋を押さえる際に、前記テーパ面が前記屈曲部のうちの少なくとも一方又は前記傾斜部のうちのいずれかに当接するようにするとよい。
【発明の効果】
【００１１】
本発明によれば、ノックアウトパッドのテーパ面が缶蓋のパネル部に隣接するコーナー部に当接することにより、テーパ面に沿って缶蓋を芯合わせすることができ、ノックアウトパッドとリフターとの間で缶胴と缶蓋とを正確に位置決めした状態で巻き締めることができ、巻き締め寸法のばらつきの発生を防止して、確実に密封することができる。
そして、従来とは異なりパネル部表面を押さえる必要はないので、パネル部表面の大部分の設計の自由度を上げることができ、デザイン性等の向上を図ることができる。
【図面の簡単な説明】
【００１２】
【図１】本発明に係る缶巻き締め装置の第１実施形態における缶蓋支持具の作動状態を（ａ）（ｂ）（ｃ）の順に示す縦断面図である。
【図２】図１（ｃ）に示す状態の要部拡大断面図である。
【図３】第１実施形態の缶巻き締め装置における一組の巻き締めユニットを概略的に示した正面図である。
【図４】第１実施形態に対してノックアウトパッドの形状を変えた変形例を示す図２同様の縦断面図である。
【図５】第１実施形態に対してノックアウトパッドの形状を変えた第２の変形例を示す図２同様の縦断面図である。
【図６】第１実施形態に対して缶蓋のコーナー部及びノックアウトパッドの形状を変えた第３の変形例を示す図２同様の縦断面図である。
【図７】本発明の第２実施形態における缶蓋支持具の作動状態を（ａ）（ｂ）（ｃ）の順に示す縦断面図である。
【図８】図７（ｃ）に示す状態の要部拡大断面図である。
【発明を実施するための形態】
【００１３】
以下、本発明に係る缶巻き締め装置及び缶巻き締め方法の実施形態を図面を参照しながら説明する。
まず、第１実施形態の缶巻き締め装置に適用される缶蓋について説明しておくと、この缶蓋１は、図１及び図２に示すように、その中央部分に配置される円板状をなすパネル部２と、パネル部２の外周部のコーナー部３を介して連続し下方に向けた環状凹部４を形成するカウンターシンク部５と、カウンターシンク部５の外周縁から上方に向けてほぼ拡径しながら延在するチャック壁部６と、チャック壁部６の外周縁から連なり上方に湾曲しながら拡径するショルダー部７と、ショルダー部７から半径方向外方に延在しその外周縁部を下方かつ半径方向内方に向けて折り返してなるカール部８とから構成されている。
また、パネル部２とカウンターシンク部５との間のコーナー部３は、パネル部２に連なる上向き凸状の屈曲部１１と、カウンターシンク部５の内側壁部１２に連なる上向き凸状の屈曲部１３と、これら両屈曲部１１，１３の間を連結する傾斜部１４とが連続して形成された形状とされている。その傾斜部１４は、鉛直方向に対してほぼ４５°に傾斜している。
【００１４】
カウンターシンク部５は、コーナー部３の外側部の屈曲部１３に連なる内側壁部１２がほぼ鉛直方向に延びており、その下縁から外方に向けて連続する凹状湾曲部１５、凹状湾曲部１５から上方に向けて延びる外側壁部１６から構成されている。
チャック壁部６は、カウンターシンク部５の外側壁部１６から外側に凸となるわずかな屈曲部１７を介して連続し、上方に向けて拡径しつつ半径方向内方に凸となるように湾曲した形状とされ、その外周縁に外側に凸となる屈曲部１８が連続して形成され、その屈曲部１８に、ショルダー部７、カール部８が連続している。
一方、この缶蓋１が巻き締められる缶体２１は、有底筒状の胴部２２から縮径したネック部２３の上端に外向きのフランジ部２４が連続して形成された形状とされている。
【００１５】
そして、この缶体２１と缶蓋１とを巻き締めるための装置は次のように構成される。
第１実施形態の缶巻き締め装置３１は、図示略の巻き締め機本体のターレットに、図３に示すように、缶体２１を載置して上下移動及び回転駆動されるリフター３２と、缶体２１に被せた缶蓋１を上方から押さえながら缶蓋１の内側に配置される缶蓋支持具３３と、この缶蓋支持具３３とリフター３２との間に挟持された状態で回転させられる缶体２１及び缶蓋１に半径方向外方位置から接近して巻き締め加工を行う複数の巻き締めロール３４，３５との組み合わせからなる巻き締めユニットが周方向に間隔を開けて複数組設けられている。そして、これらリフター３２、缶蓋支持具３３及び巻き締めロール３４，３５は、巻き締め機本体のターレットの旋回により、周方向に移動しつつリフター３２と缶蓋支持具３３との間に缶体２１及び缶蓋１を受け入れてこれらを挟持した状態とし、巻き締めロール３４，３５で巻き締めるようになっている。図３にはリフター３２、缶蓋支持具３３及び巻き締めロール３４，３５からなる巻き締めユニットを一組のみ示している。
【００１６】
リフター３２は、缶体２１が載置されるリフタープレート３６、及びこのリフタープレート３６を上方に付勢するスプリング等を保持したホルダー部３７が備えられており、巻き締め機本体のターレットとともに旋回することにより、巻き締め機本体に固定状態のリング状カム（図示略）に沿って移動しながら矢印Ａで示すように上下移動し、矢印Ｂで示すように自身の軸心Ｘ回りに回転駆動させられる構成である。
缶蓋支持具３３は、缶蓋１を上方から押さえるノックアウトパッド４１と、このノックアウトパッド４１の周囲にノックアウトパッド４１と同一軸心上に配置され缶蓋１のチャック壁部６の内周面側を支持するチャック部材４２とが備えられており、リフター３２と同一軸心上に配置される。したがって、リフター３２、缶蓋支持具３３のノックアウトパッド４１、チャック部材４２は同一の軸心Ｘ上に配置される。これらノックアウトパッド４１及びチャック部材４２の詳細については後述する。
巻き締めロール３４，３５は、外周面に成型面が形成され、缶蓋支持具３３に対して矢印Ｅ，Ｆで示すように離間接近するとともに、自身の軸心Ｙの回りに回転自在に支持されており、リフター３２と缶蓋支持具３３との間に挟持されて回転している缶体２１のフランジ部２３上の缶蓋１のカール部８に半径方向外方位置から順番に接近して成形しながら巻き締めるようになっている。つまり、カール部８に第１の巻き締めロール３４が接近して缶蓋１のカール部８を缶体２１のフランジ部２３に巻き込みながら巻き締めた後巻き締め部から離間し、次に第２の巻き締めロール３５が接近して再び巻き締め成形を行い、最終的に二重巻き締め状態とする。
【００１７】
ノックアウトパッド４１は、図１及び図２に示すように、水平な円板部４３の外周縁に円板部４３よりも厚肉の筒状壁部４４が鉛直方向に立設した形状とされ、その筒状壁部４４の下端面が、下方に向けて漸次拡径するテーパ面４５とされている。この筒状壁部４４は、その内径が缶蓋１のコーナー部３における内側屈曲部１１の内周縁（又はパネル部２の外周縁）よりわずかに小さく、外径がコーナー部３における外側屈曲部１３の外周縁（又はカウンターシンク部５の内側壁部１２の外周面）よりわずかに大きく形成されており、缶蓋１を押さえたときに、筒状壁部４４の下端面のテーパ面４５が缶蓋２のコーナー部３に当接するようになっている。このテーパ面４５は、鉛直方向に対してほぼ４５°に傾斜しているが、凹状にわずかに湾曲して形成されており、コーナー部３に当接したときに、傾斜部１４との間にはわずかな隙間を開け、両屈曲部１１，１３にそれぞれ接触するようになっている。
なお、このノックアウトパッド４１の支持軸４６は、軸心Ｘを中心に回転自在に支持されているとともに、図示略のロッドを介して巻き締め機本体のアクチュエータによって押し下げ駆動され、押し下げられた後はリターンスプリングによって元の位置に復帰できるようになっている。
【００１８】
チャック部材４２は、ノックアウトパッド４１の背部に水平に配置されるリング板部５１の外周部に、巻き締め時に巻き締めロール３４，３５から加えられる半径方向内方に向けた押圧力を缶蓋１のショルダー部７の内側で支持する台金部５２が形成されるとともに、その台金部５２の外周面から連続し、缶蓋１のチャック壁６の内周面とわずかな隙間を開けて対向する湾曲面５３により延在しながらカウンターシンク部５の外側壁部１６の内周面側に嵌合する外周面を有する環状突出部５４が形成されている。
この環状突出部５４の内径は、カウンターシンク部５の内側壁部１２の外径よりも大きく形成され、図２に示すように、カウンターシンク部５の外側壁部１６内に嵌合したときに、環状突出部５４の内周面と内側壁部１２の外周面との間に若干の隙間が形成されるようになっており、ノックアウトパッド４１の筒状壁部４４の先端部が隙間の部分にわずかに臨むように配置されることにより、筒状壁部４４のテーパ面４５が缶蓋１のコーナー部３に当接し易いように寸法設定されている。
【００１９】
なお、リング板部５１の背部には、巻き締め機本体のターレットに支持するためのスリーブ５５が固定され、そのスリーブ５５内にノックアウトパッド４１の支持軸４６が配置される。
そして、このチャック部材４２は、その上部が巻き締め機本体のターレットに回転自在に支持されているとともに、ターレットの旋回に伴い、巻き締め機本体のラックにピニオンギヤが係合して図３の矢印Ｇで示すように回転駆動されるようになっている。また、ノックアウトパッド４１は、前述したようにさらにアクチュエータ及びリターンスプリングによってチャック部材４２に対して上下移動できるようになっている。
【００２０】
このように構成された缶巻き締め装置３１によって缶体２１に缶蓋１を巻き締める場合、ターレットによって旋回される各リフター３２に順次缶体２１が供給されるとともに、そのリフター３２に載置された状態の缶体２１のフランジ部２４の上に缶蓋１が１枚ずつ供給された後、これら缶体２１と缶蓋１とがリフター３２と缶蓋支持具３３との間で挟持された状態で回転させられ、巻き締めロール３４，３５による巻き締め加工が行われた後、ターレットから排出される。
【００２１】
この一連の巻き締め作業において、リフター３２と缶蓋支持具３３との間に缶体２１及び缶蓋１を挟持する際には、図１（ａ）に示すように、缶体２１に被せられた缶蓋１の上方に缶蓋支持具３３が配置されている状態から、ノックアウトパッド４１が下降して図１（ｂ）に示すように缶蓋１に接触する。このノックアウトパッド４１は、前述したように、その筒状壁部４４の下端面のテーパ面４５が缶蓋１のパネル部２に連続するコーナー部３の両屈曲部１１，１３に当接するようになっているので、缶蓋１とノックアウトパッド４１とに若干の芯ずれが生じていたとしても、ノックアウトパッド４１のテーパ面４５の周方向のいずれかの部分に缶蓋１のコーナー部３の屈曲部１１，１３が接触して下降することにより、その屈曲部１１，１３がテーパ面４５に沿って摺動しながら缶蓋１全体が径方向に移動してノックアウトパッド４１との芯合わせがなされる。
【００２２】
そして、図１（ｂ）に示すように缶蓋１がノックアウトパッド４１で押さえられた後、リフター３２が上昇してノックアウトパッド４１を押し戻しながら缶体２１及び缶蓋１を押し上げ、図１（ｃ）に示すようにチャック部材４２の環状突出部５４に缶蓋１のカウンターシンク部５を嵌合して缶蓋１を把持させる。このチャック部材４２の嵌合時は、缶蓋１とノックアウトパッド４１とが芯合わせされているので、チャック部材４２の環状突出部５４は缶蓋１のカウンターシンク部５の環状凹部４に円滑かつ正確に案内され、片当たり等が生じることがない。したがって、その後の巻き締め加工を周方向に均一に行うことができ、巻き締め寸法のばらつきの発生を防止することができる。
【００２３】
図４から図６は、本発明の第１実施形態に関する変形例を示している。これらの図において、図１から図３の第１実施形態と共通部分には同一符号を付して説明を省略する。
図４に示す例は、缶蓋及びチャック部材については第１実施形態の缶蓋１及びチャック部材４２と同じ形状であるとともに、ノックアウトパッド６１も、その筒状壁部４４の下端面が凹状に湾曲したテーパ面とされていることは第１実施形態と同じであるが、そのテーパ面６２の傾斜角度が第１実施形態のものとは異なり、鉛直方向に対する傾斜角度が第１実施形態のものより大きく設定されていることにより、缶蓋１を押さえたときに、テーパ面６２が缶蓋１のコーナー部３における内側の屈曲部（パネル部２に隣接する屈曲部）１１にのみ当接するようになっている。
なお、図２及び図４に示す例のように、コーナー部の屈曲部にノックアウトパッドのテーパ面が接触する場合、両屈曲部の間を連結している傾斜部は、平坦面に形成しているが、外面が凹状となる湾曲面としてもよい。この凹状の傾斜部の場合は、ノックアウトパッドのテーパ面も平坦面の傾斜面としてもよい。また、逆に、傾斜部をノックアウトパッドのテーパ面に接触しない範囲で（つまりテーパ面が凹状の湾曲面の場合はその曲率半径よりも小さい曲率半径で）凸状となる湾曲面に形成してもよい。
【００２４】
また、図５に示す例は、缶蓋及びチャック部材については第１実施形態の缶蓋１及びチャック部材４２と同じ形状であるが、ノックアウトパッド６３の筒状壁部４４の下端面が下方に凸となるように湾曲したテーパ面６４とされ、その凸状のテーパ面６４が缶蓋１のコーナー部３における傾斜部１４に当接するようになっている。
【００２５】
また、図６に示す例は、缶蓋６５のコーナー部６６に、パネル部２に隣接状態の屈曲部６７と、カウンターシンク部５の内側壁部１２に隣接状態の屈曲部６８と、これら両屈曲部６７，６８の間を連結する傾斜部６９とが形成されているが、その傾斜部６９が平坦面ではなく、上方に凸となる湾曲面とされている。一方、ノックアウトパッド７１の筒状壁部４４のテーパ面７２は、凹状の湾曲面に形成されるとともに、その湾曲面の曲率半径が缶蓋６５の傾斜部６９の曲率半径よりもわずかに大きく形成されている。したがって、ノックアウトパッド７１のテーパ面７２は缶蓋６５のコーナー部６６の傾斜部６９の凸状面の頂部に接触することになる。
なお、コーナー部の傾斜部が外面を凸とする湾曲面の場合、ノックアウトパッドのテーパ面は平坦面の傾斜面としてもよい。また、この図６に示す例とは逆に、コーナー部の傾斜部を外面が凹状となる湾曲面とし、ノックアウトパッドのテーパ面をコーナー部の傾斜部よりも曲率半径の小さい凸状面としてもよい。
【００２６】
これら図４から図６の各変形例においては、いずれの場合も、ノックアウトパッドのテーパ面は缶蓋のコーナー部の屈曲部又は傾斜部のいずれかに周方向に沿う線状に接触することになる。つまり、図４に示す例では、凹状のテーパ面６２がコーナー部３の凸状の屈曲部１１に接触し、図５に示す例では、凸状のテーパ面６４が平坦な傾斜部１４に接触し、図６に示す例では、凹状のテーパ面７２がそれよりも曲率半径の小さい凸状の傾斜部６９に接触する。したがって、接触部が線状となるので、芯ずれが生じていた場合の缶蓋の摺動時の抵抗を少なくし、その芯合わせ機能を円滑に発揮することができる。
【００２７】
なお、以上の実施形態において、缶蓋の各部寸法は、例えば、缶蓋の公称径が２０４（缶体に巻き締めた後の巻き締め部の最外径が５６．５〜５６．７ｍｍ、巻き締め前の缶蓋のカール部の最外径が６２．０〜６２．４ｍｍ）の場合、カウンターシンク部５の内側壁部１２の外径Ｄが４８．３〜４８．５ｍｍとされ、コーナー部は、パネル部２の外周縁からカウンターシンク部５の内側壁部１２の内周面までの幅寸法Ｌが０．６〜１．０ｍｍ、両屈曲部の外周面の曲率半径が０．３５〜０．５５ｍｍ、傾斜部の傾斜角度が鉛直方向に対して３０〜６０°とされる。
また、カウンターシンク部５の凹状湾曲部１５の幅寸法Ｗが０．７５〜１．０ｍｍとされ、その凹状湾曲部１５の外周部から外側壁部１６にかけて嵌合するチャック部材４２の環状突出部５４の先端部の幅寸法Ｈが０．５〜０．７ｍｍとされ、したがって、この環状突出部５４の内周面とカウンターシンク部５の内側壁部１２の外周面との間に０．１〜０．５ｍｍの隙間が形成される。
【００２８】
図７及び図８は本発明の第２実施形態を示している。
この第２実施形態では、缶蓋８１は、そのコーナー部８２がパネル部２とカウンターシンク部５の内側壁部１２との間を一つの屈曲部によって連結した構成とされるとともに、チャック壁８３がほぼ円錐テーパ面状に形成されている。そして、この缶蓋８２を押さえるノックアウトパッド８４は、その筒状壁部８５が第１実施形態のものより薄肉に形成されており、その下端面には凹状のテーパ面８６が形成され、そのテーパ面８６の曲率半径は缶蓋８１のコーナー部８２における屈曲部の曲率半径よりも大きく形成されている。また、チャック部材８７は、環状突出部８８が第１実施形態のものより長く形成されており、この環状突出部８８から台金部５２までの外周面が円錐テーパ面８９とされている。この場合も、環状突出部８８の内径は缶蓋８１のカウンターシンク部５における内側壁部１２の外径よりも若干大きく形成され、環状突出部８８がカウンターシンク部５に嵌合したときに、環状突出部８８の内周面とカウンターシンク部５の内側壁部１２の外周面との間にわずかな隙間が形成され、その隙間の部分にノックアウトパッド８４の筒状壁部８５の先端部がわずかに臨むように配置される寸法関係に設定されている。
【００２９】
このように構成された第２実施形態の場合も、ノックアウトパッド８４が缶蓋８１を押さえると、缶蓋８１のコーナー部８２にノックアウトパッド８４のテーパ面８６が当接し、両者に芯ずれが生じていた場合には、ノックアウトパッド８４のテーパ面８６に沿って缶蓋８１が移動して芯合わせされる。そして、その芯合わせがなされた後に、チャック部材８７が缶蓋８１のカウンターシンク部５に嵌合して巻き締め作業がなされるので、円滑かつ正確な二重巻き締めを行うことができる。
この第２実施形態の場合も、ノックアウトパッドのテーパ面は、図示例の凹状面に限らず、凸状面としてもよいし、平坦な傾斜面としてもよく、いずれの場合でも、缶蓋のコーナー部の外面に線状に接触することができる。
その他、本発明は上記実施形態に限定されるものではなく、本発明の趣旨を逸脱しない範囲において種々の変更を加えることが可能である。
例えば、缶の公称径が２０４のものに適用したが、２０２（二重巻き締め部の外径が５３．６〜５４．４ｍｍ、巻き締め前の缶蓋のカール部の最外径が５９．２〜５９．６ｍｍ）又は２０６（二重巻き締め部の外径が５９．２〜５９．４ｍｍ、巻き締め前の缶蓋のカール部の最外径が６４．５〜６４．９ｍｍ）のものにも適用することができる。
【符号の説明】
【００３０】
１  缶蓋
２  パネル部
３  コーナー部
４  環状凹部
５  カウンターシンク部
６  チャック壁部
７  ショルダー部
８  カール部
１１  屈曲部
１２  内側壁部
１３  屈曲部
１４  傾斜部
２１  缶体
２２  缶胴
２３  ネック部
２４  フランジ部
３１  巻き締め装置
３２  リフター
３３  缶蓋支持具
３４，３５  巻き締めロール
４１  ノックアウトパッド
４２  チャック部材
４３  円板部
４４  筒状壁部
４５  テーパ面
５１  リング板部
５２  台金部
５３  湾曲面
５４  環状突出部
８１  缶蓋
８２  コーナー部
８３  チャック壁部
８４  ノックアウトパッド
８５  筒状壁部
８６  テーパ面
８７  チャック部材
８８  環状突出部
８９  円錐テーパ面
【図１】
2010214430.tif 000003
【図２】
2010214430.tif 000004
【図３】
2010214430.tif 000005
【図４】
2010214430.tif 000006
【図５】
2010214430.tif 000007
【図６】
2010214430.tif 000008
【図７】
2010214430.tif 000009
【図８】
2010214430.tif 000010